(57)【要約】【課題】ある場合は拡大鏡として、或いは、鼻眼鏡として、又は、ローネット型の眼鏡として、そして、読書用又は老眼鏡として使用出来、収納も簡単で持ち運びにも便利に出来るようにする事。【解決手段】レンズ又はレンズフレーム（１０，１１）の左右外側の方から後方に延びるテンプル（２０，２１）を有し、該テンプルが、可撓性又は柔軟性を有する材料より形成され、そして、該テンプルが、レンズ又はレンズフレーム後方から下方にほぼ９０度以内に可動又は回動可能にされている眼鏡に於いて、前記テンプルの長さの殆どがレンズ又はレンズフレームの下方縁部（１２，１３）に部分的に又は全体的に着脱可能に互いに係止出来る様にされ、更にレンズフレームブリッジ中央部で折り畳めるようにした。【選択図】図１
2009251279.tif 000002
【特許請求の範囲】
【請求項１】
レンズ又はレンズフレームの左右外側の方から後方に延びるテンプルを有し、該テンプルがレンズ又はレンズフレーム後方から下方にほぼ９０度以内に可動又は回動可能にされている眼鏡に於いて、前記テンプルの長さの殆どがレンズ又はレンズフレームの下方縁部に部分的に又は全体的に着脱可能に互いに係止出来る様にされた事を特徴とする眼鏡。
【請求項２】
前記テンプルが可撓性又は柔軟性を持った材質よりなる事を特徴とする請求項1記載の眼鏡。
【請求項３】
前記レンズ又はレンズフレームがブリッジ部中央部で折り畳み可能にされた事を特徴とする請求項1又は２に記載の眼鏡。
【請求項４】
前記請求項３記載の折り畳まれた眼鏡を収納する容器であって、折り畳まれたレンズ面に対応する上下面に少なくとも透明な部分を有する様にされ、素通し状態に上から下が見える様にされた事を特徴とする眼鏡ケース。
【発明の詳細な説明】
【技術分野】
【０００１】
本発明は、眼鏡、特に読書用又は老眼用に関し、色々な場面でその場面に適した使用法で便利に使われ、且つコンパクトに収納出来る眼鏡に関する。又、その様な眼鏡を収納するケースにも関する。
【背景技術】
【０００２】
従来、老眼鏡又は読書用の眼鏡は近視矯正用の眼鏡と少し異なり、度々掛けたり外したりする事が多く、掛け外しし易く、収納し易さと持ち運びの便利さが求められていた。
【０００３】
掛け外しし易い物としては、例えば登録実用新案第３０４０９８９号があり、又、収納し易い物としては実用新案昭６０−１４２４７号のような物が知られている。
【特許文献１】登録実用新案第３０４０９８９号
【特許文献２】実用新案公報昭６０−１４２４７号
【発明の開示】
【発明が解決しようとする課題】
【０００４】
しかしながら上記特許文献１に提案されている様な、所謂鼻掛け眼鏡タイプのものは、掛け外しには非常に便利であるが、少し長い時間掛けていると不安定で視線がずれてくる。
【０００５】
又、上記特許文献２に提案されているタイプのものは、比較的長い時間掛ける際には掛け易いが、少しの時間又はチョット見難い字だけ見る場合等には、一々眼鏡を取り出して見なければならず返って不便になってしまっていた。別に拡大鏡を使用しなければならないことにもなってしまっていた。又、確かに収納には便利であるが、持ち運びには上下の嵩が張りポケット等には入れ難かった。
【課題を解決するための手段】
【０００６】
そこで上記課題を解決する為に本発明に於いては、先ず、レンズ又はレンズフレームの左右外側の方から後方に延びるテンプルを有し、該テンプルがレンズ又はレンズフレーム後方から下方にほぼ９０度以内に可動又は回動可能にされている眼鏡に於いて、前記テンプルの長さの殆どがレンズ又はレンズフレームの下方縁部に部分的に又は全体的に着脱可能に互いに係止出来る様にされた事を特徴とする眼鏡の提供により、テンプルを使用した眼鏡としての使用の他に、鼻掛け眼鏡としても、或いは、ローネット型の眼鏡としても使用可能な様にした。
【０００７】
又、前記テンプルが可撓性又は柔軟性を持った材質より作成する事によりレンズフレームの外形にほぼ合わせる事が出来る。
【０００８】
そして、レンズ又はレンズフレームがブリッジ部中央部で折り畳み可能にする事により、折り畳まれた時は拡大鏡としても使用可能となる。
【０００９】
更に、眼鏡ケースを、折り畳まれたレンズ面に対応する上下面に少なくとも透明な部分を有する様にされ、素通し状態に上から下が見える様にする事により、眼鏡を取り出さなくても拡大鏡として収納ケースと共に使用出来る事となった。
【発明の効果】
【００１０】
本発明により、折り畳まれている状態に於いても、拡大鏡として使用出来、テンプルを折り畳んだ状態では鼻掛け眼鏡として使用出来、更に、一方のテンプルだけ外した場合はローネット型の眼鏡として使用出来、両方のテンプルを外して耳又は頬骨部等に掛けて使用する場合は、読書用の眼鏡又は普通の老眼鏡として使用が出来、色んな場面、状態で異なった使用法で便利に使用可能となり、且つ収納及び持ち運びにも非常に便利となった。
【発明を実施するための最良の形態】
【００１１】
レンズ又はレンズフレームの左右外側の方から後方に延びるテンプルを有し、該テンプルがレンズ又はレンズフレーム後方から下方にほぼ９０度以内に可動又は回動可能にされている眼鏡に於いて、前記テンプルの長さの殆どがレンズ又はレンズフレームの下方縁部に部分的に又は全体的に着脱可能に互いに係止出来る様にされ、前記テンプルが可撓性又は柔軟性を持った材質よりなり、そして、レンズ又はレンズフレームがブリッジ部中央部で折り畳み可能にされた事を特徴とする眼鏡。又、眼鏡用の収納ケースも提供される。
【実施例１】
【００１２】
図１は、本発明の全体斜視図であり、レンズＬ又はレンズフレーム１０，１１の左右外側の方から、後方に延びるテンプル２０，２１を有している。この位置は通常の眼鏡使用状態を表している。そして前記テンプル２０，２１は後方に延びている状態から下方にほぼ９０度近くに回動可能に又は可動な状態にされている。ここで前記テンプルが回動される際には、各々後方位置（眼鏡使用位置）、下方位置（眼鏡不使用位置）で、その停止状態が維持されるようにされても良い。
【００１３】
又、テンプルの柔軟性や可撓性を利用して捩れやよじれを利用して下方に曲げられても良い。
【００１４】
そして、前記下方に位置されたテンプル２０，２１は、レンズ又はレンズフレームの下方縁１２，１３に沿う様に着脱可能に係止される。
【００１５】
図２は、図１のテンプル２０，２１をレンズ又はレンズフレーム１０，１１の下方に係止した状態の背面図であり、こうなる事により、テンプルがレンズ平面内にほぼ収まると同時に、レンズの高さ範囲内にもほぼ収まる事が出来る。そして、テンプルを折り畳んだ際のレンズ面とのクロスオーバーも無くなる。
【００１６】
そして、テンプル２０，２１とレンズフレームの下方縁１２，１３は、部分的に嵌合する手段を互いに持っていても良く、又は互いに全体的に凹凸等を設けて嵌合係止出来るようにしても構わない。又、互いに磁石及び磁性体を設け磁着手段により係止される様にしても構わない。
【００１７】
そして又、テンプル２０，２１は、その長さの殆どの部分がレンズフレーム１０，１１の下方側部１２，１３の縁により保持されるが、場合によってはテンプルの先端部がレンズフレーム上側１６，１７部分に係止されても良い。又、図２の状態に於いては、所謂鼻掛け眼鏡として使用可能であり、２〜３分一寸の時間物を見る時には便利となる。
【００１８】
図３は図２の平面図であり、更にコンパクトに収納する場合は、中央ブリッジ部３０の折り畳み手段３１により内側に折り畳めるようになっている。
【００１９】
そうすると図４の様に非常にコンパクトに折り畳む事が可能で持ち運びにも便利で簡単にポケットにも入る。そしてテンプルがレンズ面とクロスオーバーしていないので拡大鏡として、一文字だけ見る場合とか瞬間的に対象物を見る場合はこれで充分である。
【００２０】
図５は例えば、テンプル２２，２３がレンズフレームの下部１２ａ（１３ａ）の内側に位置された場合の応用例背面図であり、図６はそのＡ−Ａ断面拡大図である。この様な変化応用例も可能であり、所謂リムレス眼鏡のレンズ縁部をテンプル凹部に嵌合させても良い（図示なし）。
【００２１】
図７は請求項４に関連する眼鏡用ケース４０の全体斜視図であり、図４の様に、折り畳まれたレンズ面に対応する上下面４１，４２に少なくとも透明な部分を有する様にされ、素通し状態に上から下が見える様にされており、更に使用法に於いては、図８の様に対象物Ｓだけを詳しく短時間見る場合はケース４０の透明な上下面４１、４２と本発明の眼鏡の凸レンズにより瞬時に拡大して視認出来る。又、図示はしないがケース４０の透明な表面４１,４２の少なくともいづれか一方に更に凸部を設けて拡大率を上げるようにしても良い。
【００２２】
そして、図９、１０、１１は、本発明の眼鏡の使用例を説明した使用図であり、上述した拡大鏡としての使用法に加えるに、図９の場合は、図２の様にテンプル２０、２１がレンズフレームに係止された状態で、鼻眼鏡として使用される状態を表している。又、図１０はテンプル２０、２０ａを図１の如く後方に延ばした状態で使用する、一般的な眼鏡の使用法であり一番使用が多いパターンであり、この状態での使用にもなんら差し障りは無い。
【００２３】
次に、図１１の如く、片一方のテンプル２０だけをレンズフレームから外して下方に位置させた状態で、片手でそのテンプルを掴んで、所謂ローネット型の眼鏡としての使用も出来る事となる。
【００２４】
この様に一つの眼鏡で多くの使用シーンでその場その場に合った眼鏡として素早く、簡単に便利に使用する事が可能となる。
【００２５】
又、本発明は、上記実施例の図によって限定されるものではなく、本発明の特許請求の範囲の真意により限定されるものである。
【図面の簡単な説明】
【００２６】
【図１】本発明の実施例の全体斜視図
【図２】図１のテンプル折り畳み後の背面図
【図３】図２の平面図
【図４】図２からさらに折りたたんだ平面図
【図５】本発明の応用例の背面図
【図６】そのＡ−Ａ断面拡大図
【図７】本発明の眼鏡ケース斜視図
【図８】図７の眼鏡ケースの使用説明図
【図９】本発明の使用説明図
【図１０】本発明の使用説明図
【図１１】本発明の使用説明図
【符号の説明】
【００２７】
１０、１１    レンズフレーム
１２、１３    レンズフレーム下方
１６、１７    レンズフレーム上方
２０、２１    テンプル
３０          ブリッジ部
３１          折り畳み手段
３４、３５          鼻パッド
４０                眼鏡ケース
４１、４２          眼鏡ケース上下透明表面
Ｍ                  視線
Ｓ                  対象物
Ｌ                  レンズ
【図１】
2009251279.tif 000003
【図２】
2009251279.tif 000004
【図３】
2009251279.tif 000005
【図４】
2009251279.tif 000006
【図５】
2009251279.tif 000007
【図６】
2009251279.tif 000008
【図７】
2009251279.tif 000009
【図８】
2009251279.tif 000010
【図９】
2009251279.tif 000011
【図１０】
2009251279.tif 000012
【図１１】
2009251279.tif 000013